(57)【特許請求の範囲】
【請求項１】
フィルタユニット下流側に設置されるファンの作動により空気を、前記フィルタユニット内に設けられたフィルタを通過させて清浄空気室へ導入する空気調和装置のフィルタ保持装置において、
前記フィルタユニットは、
枠組みを構成するフレーム部材と、
該フレーム部材の空気流通方向に対して平行な面に取り付けられる外板と、
空気流通方向に対して平行となる上下のフレーム部材の間に掛け渡され、且つ閉じた際に隣接する外板と密着するフィルタ交換用扉が枢着される外板分割板と、
該外板分割板の上流側に該外板分割板と同じ長さで平行に固着される遮蔽フレームと、
該遮蔽フレームに対して平行に対向する外板の面で枠組みを構成するフレーム部材の一つと、前記遮蔽フレームとの間に水平に掛け渡され且つフィルタ縁部を保持するための第二フィルタレールと、
該第二フィルタレールの空気流通方向における上流側に前記第二フィルタレールと平行となるよう隣接して固着され且つフィルタ縁部を保持するための第一フィルタレールと
を備え、
前記第一フィルタレールと第二フィルタレールのいずれか一方にフィルタ縁部を保持せしめ前記フィルタ交換用扉を閉じて運転を行い、該フィルタに詰りが生じた場合、前記フィルタ交換用扉を開け、前記第一フィルタレールと第二フィルタレールのいずれか他方に新規のフィルタを挿入保持せしめた状態で、前記ファンを運転しながら前記詰りが生じたフィルタを引き抜いて交換を行い、前記フィルタ交換用扉を閉じるよう構成したことを特徴とする空気調和装置のフィルタ保持装置。
【請求項２】
前記フィルタの空気流通方向上下流位置における差圧を検出する差圧計を備え、該差圧計で検出された差圧に基づいて前記フィルタの詰りの有無を判断するよう構成した請求項１記載の空気調和装置のフィルタ保持装置。
【請求項３】
フィルタユニット下流側に設置されるファンの作動により空気を、前記フィルタユニット内に設けられたフィルタを通過させて清浄空気室へ導入する空気調和装置のフィルタ交換方法において、
枠組みを構成するフレーム部材と、
該フレーム部材の空気流通方向に対して平行な面に取り付けられる外板と、
空気流通方向に対して平行となる上下のフレーム部材の間に掛け渡され、且つ閉じた際に隣接する外板と密着するフィルタ交換用扉が枢着される外板分割板と、
該外板分割板の上流側に該外板分割板と同じ長さで平行に固着される遮蔽フレームと、
該遮蔽フレームに対して平行に対向する外板の面で枠組みを構成するフレーム部材の一つと、前記遮蔽フレームとの間に水平に掛け渡され且つフィルタ縁部を保持するための第二フィルタレールと、
該第二フィルタレールの空気流通方向における上流側に前記第二フィルタレールと平行となるよう隣接して固着され且つフィルタ縁部を保持するための第一フィルタレールと
を備えた前記フィルタユニットにて、
前記フィルタユニット内の前記第一フィルタレールと第二フィルタレールのいずれか一方にフィルタ縁部を保持せしめ前記フィルタ交換用扉を閉じた状態での運転中に、該フィルタに詰りが生じた場合、前記フィルタユニットに取り付けられたフィルタ交換用扉を開ける開放工程と、
該開放工程で前記フィルタ交換用扉を開けた後、前記第一フィルタレールと第二フィルタレールのいずれか他方に新規のフィルタを挿入保持せしめる新規フィルタ挿入工程と、
該新規フィルタ挿入工程で前記第一フィルタレールと第二フィルタレールのいずれか他方に新規のフィルタを挿入保持せしめた後、前記詰りが生じたフィルタを引き抜く交換工程と、
該交換工程で前記詰りが生じたフィルタを引き抜いた後、前記フィルタ交換用扉を閉じる閉鎖工程と
を行うことを特徴とする空気調和装置のフィルタ交換方法。
【請求項４】
前記フィルタの空気流通方向上下流位置における差圧を検出することにより前記フィルタの詰りの有無を判断する請求項３記載の空気調和装置のフィルタ交換方法。
【発明の詳細な説明】
【技術分野】
【０００１】
本発明は、空気調和装置のフィルタ保持装置及びフィルタ交換方法に関するものである。
【背景技術】
【０００２】
一般に、工場等の空気調和装置では、送風用のファンによる機械室等の清浄空気室への空気導入の際に、空気中の塵埃を空気調和装置を構成するフィルタユニット内に設けられたフィルタを使って除去しているが、該フィルタが詰ってくると、圧力損失が高まり、必要な流量の空気を前記清浄空気室へ導入できなくなってしまうため、フィルタの空気流通方向における上下流位置での差圧を検出し、該差圧が予め設定された閾値を超えた際に、フィルタの交換を行うようになっている。尚、従来のフィルタ保持装置は、通常、前記空気調和装置内に配設され且つ空気流通方向において単一のフィルタレールに対し、前記フィルタ縁部を保持せしめることにより、該フィルタを設置する構造となっている。
【０００３】
又、ロールに巻き取られたフィルタを順次繰り出して、別のロールに巻き取ることにより、空気を清浄化する、いわゆるオートロールタイプのフィルタも存在する。
【０００４】
尚、前述の如きフィルタと関連する一般的技術水準を示すものとしては、例えば、特許文献１、特許文献２がある。
【先行技術文献】
【特許文献】
【０００５】
【特許文献１】特開２００３−９７８３４号公報
【特許文献２】特開２００３−２５１１２８号公報
【発明の概要】
【発明が解決しようとする課題】
【０００６】
ところで、前記フィルタ交換は、空気調和装置を構成するフィルタユニットに取り付けられたフィルタ交換用扉を開けて行われるため、既設のフィルタを引き抜いてから新しいフィルタを差し込み、フィルタ交換用扉を閉めるまでにある程度の時間が必要となる。尚、前記フィルタの交換中においても、ファンによる清浄空気室への空気導入は連続して行われる。
【０００７】
しかしながら、前記送風用のファンがフィルタの空気流通方向下流側に設置されている場合、前記フィルタ交換用扉を開放してフィルタの交換を行っている間、フィルタを通過しない空気がフィルタユニット内即ちフィルタの空気流通方向下流側に流入してしまい、塵埃が前記清浄空気室へ入り込んでしまう虞があった。
【０００８】
又、前記送風用のファンがフィルタの空気流通方向上流側に設置されている場合、前記フィルタ交換用扉を開放してフィルタの交換を行っている間、ファンで昇圧された空気の一部が前記フィルタ交換用扉から吹き出してしまい、前記清浄空気室へ所定流量の給気が行えなくなると共に、前述と同様、フィルタを通過しない空気がフィルタユニット内即ちフィルタの空気流通方向下流側に流入してしまい、塵埃が前記清浄空気室へ入り込んでしまうという不具合が生じていた。
【０００９】
一方、前記オートロールタイプのフィルタの場合、ファンを運転しながらフィルタを交換しているのと同等であり、この点に関しては非常に優れているが、フィルタの巻き取り完了時はどうしてもファンを停止してフィルタの交換を行わなければならず、その間、前記清浄空気室へ必要な流量の空気を導入できなくなる。しかも、前記オートロールタイプのフィルタにおいては、モータ等の駆動装置が必要で、構造が複雑化すると共に、電力も消費することから、ランニングコストも嵩むという欠点を有していた。
【００１０】
本発明は、斯かる実情に鑑み、ファンによる清浄空気室への空気導入を継続した状態で、モータ等の駆動装置を使用することなく、フィルタを通過しない空気のフィルタ下流側への流入を防いで、塵埃が清浄空気室へ入り込んでしまうことを最小限に抑制しつつ、フィルタの交換を行い得る空気調和装置のフィルタ保持装置及びフィルタ交換方法を提供しようとするものである。
【課題を解決するための手段】
【００１１】
本発明は、フィルタユニット下流側に設置されるファンの作動により空気を、前記フィルタユニット内に設けられたフィルタを通過させて清浄空気室へ導入する空気調和装置のフィルタ保持装置において、
前記フィルタユニットは、
枠組みを構成するフレーム部材と、
該フレーム部材の空気流通方向に対して平行な面に取り付けられる外板と、
空気流通方向に対して平行となる上下のフレーム部材の間に掛け渡され、且つ閉じた際に隣接する外板と密着するフィルタ交換用扉が枢着される外板分割板と、
該外板分割板の上流側に該外板分割板と同じ長さで平行に固着される遮蔽フレームと、
該遮蔽フレームに対して平行に対向する外板の面で枠組みを構成するフレーム部材の一つと、前記遮蔽フレームとの間に水平に掛け渡され且つフィルタ縁部を保持するための第二フィルタレールと、
該第二フィルタレールの空気流通方向における上流側に前記第二フィルタレールと平行となるよう隣接して固着され且つフィルタ縁部を保持するための第一フィルタレールと
を備え、
前記第一フィルタレールと第二フィルタレールのいずれか一方にフィルタ縁部を保持せしめ前記フィルタ交換用扉を閉じて運転を行い、該フィルタに詰りが生じた場合、前記フィルタ交換用扉を開け、前記第一フィルタレールと第二フィルタレールのいずれか他方に新規のフィルタを挿入保持せしめた状態で、前記ファンを運転しながら前記詰りが生じたフィルタを引き抜いて交換を行い、前記フィルタ交換用扉を閉じるよう構成したことを特徴とする空気調和装置のフィルタ保持装置にかかるものである。
【００１２】
上記手段によれば、以下のような作用が得られる。
【００１３】
前述の如く構成すると、詰りが生じたフィルタを交換する際、フィルタユニット内には、第一フィルタレールと第二フィルタレールの少なくとも一方に常にフィルタが保持される形となるため、フィルタを通過しない空気がフィルタの空気流通方向下流側に流入することが抑えられ、塵埃が前記清浄空気室へ入り込みにくくなる。
【００１４】
一方、フィルタの巻き取り完了時はどうしてもファンを停止してフィルタの交換を行わざるを得ない前記オートロールタイプのフィルタと比較した場合、フィルタ交換中もファンを停止せずに前記清浄空気室へ必要な流量の空気を継続して導入でき、しかも、モータ等の駆動装置が一切不要で、構造が簡略化できると共に、電力も消費しなくて済むことから、ランニングコストが嵩む心配もない。
【００１５】
前記空気調和装置のフィルタ保持装置において、前記フィルタユニットは、前記外板分割板の上流側に該外板分割板と同じ長さで平行に固着される遮蔽フレームと、その上流側に前記第二フィルタレールとが掛け渡されるように備えているため、前記フィルタ交換用扉の開放時におけるフィルタユニット内への空気の流入を最小限に抑えることが可能となる。
【００１６】
又、前記空気調和装置のフィルタ保持装置においては、前記フィルタの空気流通方向上下流位置における差圧を検出する差圧計を備え、該差圧計で検出された差圧に基づいて前記フィルタの詰りの有無を判断するよう構成することができる。
【００１７】
一方、本発明は、フィルタユニット下流側に設置されるファンの作動により空気を、前記フィルタユニット内に設けられたフィルタを通過させて清浄空気室へ導入する空気調和装置のフィルタ交換方法において、
枠組みを構成するフレーム部材と、
該フレーム部材の空気流通方向に対して平行な面に取り付けられる外板と、
空気流通方向に対して平行となる上下のフレーム部材の間に掛け渡され、且つ閉じた際に隣接する外板と密着するフィルタ交換用扉が枢着される外板分割板と、
該外板分割板の上流側に該外板分割板と同じ長さで平行に固着される遮蔽フレームと、
該遮蔽フレームに対して平行に対向する外板の面で枠組みを構成するフレーム部材の一つと、前記遮蔽フレームとの間に水平に掛け渡され且つフィルタ縁部を保持するための第二フィルタレールと、
該第二フィルタレールの空気流通方向における上流側に前記第二フィルタレールと平行となるよう隣接して固着され且つフィルタ縁部を保持するための第一フィルタレールと
を備えた前記フィルタユニットにて、
前記フィルタユニット内の前記第一フィルタレールと第二フィルタレールのいずれか一方にフィルタ縁部を保持せしめ前記フィルタ交換用扉を閉じた状態での運転中に、該フィルタに詰りが生じた場合、前記フィルタユニットに取り付けられたフィルタ交換用扉を開ける開放工程と、
該開放工程で前記フィルタ交換用扉を開けた後、前記第一フィルタレールと第二フィルタレールのいずれか他方に新規のフィルタを挿入保持せしめる新規フィルタ挿入工程と、
該新規フィルタ挿入工程で前記第一フィルタレールと第二フィルタレールのいずれか他方に新規のフィルタを挿入保持せしめた後、前記詰りが生じたフィルタを引き抜く交換工程と、
該交換工程で前記詰りが生じたフィルタを引き抜いた後、前記フィルタ交換用扉を閉じる閉鎖工程と
を行うことを特徴とする空気調和装置のフィルタ交換方法にかかるものである。
【００１８】
前記空気調和装置のフィルタ交換方法においては、前記フィルタの空気流通方向上下流位置における差圧を検出することにより前記フィルタの詰りの有無を判断することができる。
【発明の効果】
【００１９】
本発明の空気調和装置のフィルタ保持装置及びフィルタ交換方法によれば、ファンによる清浄空気室への空気導入を継続した状態で、モータ等の駆動装置を使用することなく、フィルタを通過しない空気のフィルタ下流側への流入を防いで、塵埃が清浄空気室へ入り込んでしまうことを最小限に抑制しつつ、フィルタの交換を行い得るという優れた効果を奏し得る。
【図面の簡単な説明】
【００２０】
【図１】本発明の空気調和装置内に設けられるフィルタとフィルタ保持装置の実施例を示す斜視図である。
【図２】本発明の空気調和装置のフィルタ保持装置及びフィルタ交換方法の実施例において、第二フィルタレールにフィルタを保持せしめた状態での運転中の様子を示す平面図であって、図１のＩＩ−ＩＩ矢視相当図である。
【図３】本発明の空気調和装置のフィルタ保持装置及びフィルタ交換方法の実施例において、図２の状態からフィルタ交換用扉を開ける開放工程を示す平面図であって、図１のＩＩ−ＩＩ矢視相当図である。
【図４】本発明の空気調和装置のフィルタ保持装置及びフィルタ交換方法の実施例において、図３の状態から第一フィルタレールに新規のフィルタを挿入保持せしめる新規フィルタ挿入工程を示す平面図であって、図１のＩＩ−ＩＩ矢視相当図である。
【図５】本発明の空気調和装置のフィルタ保持装置及びフィルタ交換方法の実施例において、図４の状態から詰りが生じたフィルタを引き抜く交換工程を示す平面図であって、図１のＩＩ−ＩＩ矢視相当図である。
【図６】本発明の空気調和装置のフィルタ保持装置及びフィルタ交換方法の実施例において、図５の状態からフィルタ交換用扉を閉じる閉鎖工程を示す平面図であって、図１のＩＩ−ＩＩ矢視相当図である。
【図７】本発明の空気調和装置のフィルタ保持装置及びフィルタ交換方法の実施例において、第一フィルタレールにフィルタを保持せしめた状態での運転中の様子を示す平面図であって、図１のＩＩ−ＩＩ矢視相当図である。
【図８】本発明の空気調和装置のフィルタ保持装置及びフィルタ交換方法の実施例において、図７の状態からフィルタ交換用扉を開ける開放工程を示す平面図であって、図１のＩＩ−ＩＩ矢視相当図である。
【図９】本発明の空気調和装置のフィルタ保持装置及びフィルタ交換方法の実施例において、図８の状態から第二フィルタレールに新規のフィルタを挿入保持せしめる新規フィルタ挿入工程を示す平面図であって、図１のＩＩ−ＩＩ矢視相当図である。
【図１０】本発明の空気調和装置のフィルタ保持装置及びフィルタ交換方法の実施例において、図９の状態から詰りが生じたフィルタを引き抜く交換工程を示す平面図であって、図１のＩＩ−ＩＩ矢視相当図である。
【図１１】本発明の空気調和装置のフィルタ保持装置及びフィルタ交換方法の実施例において、図１０の状態からフィルタ交換用扉を閉じる閉鎖工程を示す平面図であって、図１のＩＩ−ＩＩ矢視相当図である。
【発明を実施するための形態】
【００２１】
以下、本発明の実施の形態を添付図面を参照して説明する。
【００２２】
図１〜図１１は本発明の空気調和装置内に設けられるフィルタとフィルタ保持装置及びフィルタ交換方法の実施例であって、空気をファン１の作動により機械室等の清浄空気室へ導入するフィルタユニット２内に、フィルタ３の縁部を保持するための第一フィルタレール４と第二フィルタレール５とを空気の流通方向における上下流位置へ隣接させて配設し、前記第一フィルタレール４と第二フィルタレール５のいずれか一方にフィルタ３の縁部を保持せしめて運転を行い、該フィルタ３に詰りが生じた場合、前記フィルタユニット２に取り付けられたフィルタ交換用扉６を開け、前記第一フィルタレール４と第二フィルタレール５のいずれか他方に新規のフィルタ３を挿入保持せしめた状態で、前記詰りが生じたフィルタ３を引き抜いて交換を行い、前記フィルタ交換用扉６を閉じるよう構成したものである。
【００２３】
本実施例の場合、前記フィルタ交換用扉６の開放時に第二フィルタレール５下流側に生じる隙間には、該第二フィルタレール５のフィルタ交換用扉６側端部を支持し且つ前記フィルタ交換用扉６開放時におけるフィルタユニット２内への空気の流入を防ぐ遮蔽フレーム７を配設してある。
【００２４】
又、前記フィルタユニット２の外部には、前記フィルタ３の空気流通方向上下流位置における差圧を検出する差圧計８を設けてあり、該差圧計８で検出された差圧に基づいて前記フィルタ３の詰りの有無を判断するようにしてある。
【００２５】
尚、図中、２ａはフィルタユニット２の枠組を構成するフレーム部材、２ｂはフレーム部材２ａに取り付けられる外板であり、該外板２ｂはウレタン発泡パネル等の断熱材を鋼板で覆うことにより形成してある。
【００２６】
又、前記遮蔽フレーム７は、フィルタユニット２の上下方向へ延びる角管によって形成し、前記外板２ｂのつなぎ目に配設され且つフィルタ交換用扉６が枢着される外板分割板９に固着してある。
【００２７】
更に又、図１に示す例では、フィルタ３は、上下二段に分割され、且つフィルタユニット２の幅方向にも二枚に分割され、スペーサとして用いられるフィルタ仕切板１０を上下に二枚用意し、フィルタユニット２の上下部並びに高さ方向中間部に第一フィルタレール４及び第二フィルタレール５を配設しているが、フィルタユニット２の大きさに応じて、一枚のフィルタ３とし、フィルタユニット２の高さ方向中間部に配設される第一フィルタレール４及び第二フィルタレール５を省略しても良いことは言うまでもない。
【００２８】
次に、上記実施例の作用を説明する。
【００２９】
先ず、図２には、第二フィルタレール５にフィルタ３を保持せしめた状態での運転中の様子を示しており、差圧計８によりフィルタ３の空気流通方向上下流位置における差圧が検出され、該差圧計８で検出された差圧に基づいて前記フィルタ３の詰りの有無が判断される。
【００３０】
前記差圧計８で検出された差圧に基づいてフィルタ３に詰りが生じていると判断された場合、図３に示す如く、前記フィルタユニット２に取り付けられたフィルタ交換用扉６を開ける開放工程が行われる。このとき、予め新規のフィルタ３を用意しておく。
【００３１】
前記開放工程で前記フィルタ交換用扉６を開けた後、図４に示す如く、前記第一フィルタレール４に新規のフィルタ３を挿入保持せしめる新規フィルタ挿入工程が行われる。
【００３２】
前記新規フィルタ挿入工程で前記第一フィルタレール４に新規のフィルタ３を挿入保持せしめた後、図５に示す如く、前記詰りが生じたフィルタ３を第二フィルタレール５から引き抜く交換工程が行われる。
【００３３】
前記交換工程で前記詰りが生じたフィルタ３を引き抜いた後、図６に示す如く、前記フィルタ交換用扉６を閉じる閉鎖工程が行われる。
【００３４】
ここで、図２〜図６に示す如く、前記送風用のファン１がフィルタ３の空気流通方向下流側に設置されている場合、図３に示す如く、前記フィルタユニット２に取り付けられたフィルタ交換用扉６を開ける開放工程が行われても、空気は第二フィルタレール５に保持されたフィルタ３を通過するため、該フィルタ３を通過しない空気がフィルタ３の空気流通方向下流側に流入することが避けられ、塵埃が前記機械室等の清浄空気室へ入り込んでしまうことはない。
【００３５】
但し、図５に示す如く、前記詰りが生じたフィルタ３を第二フィルタレール５から引き抜く交換工程が行われる際には、大部分の空気は第一フィルタレール４に挿入保持されたフィルタ３を通過するものの、前記第二フィルタレール５に対応する箇所からフィルタユニット２内へ空気が流入することは避けられない。しかし、前記フィルタ交換用扉６の開放時に第二フィルタレール５下流側に生じる隙間には遮蔽フレーム７を配設してあるため、前記フィルタ交換用扉６の開放時におけるフィルタユニット２内への空気の流入を最小限に抑えることが可能となる。
【００３６】
又、図２〜図６において、前記送風用のファン１がフィルタ３の空気流通方向下流側ではなく上流側に設置されている場合、前記フィルタ交換用扉６を開放した際、ファン１で昇圧された空気の一部がフィルタユニット２から吹き出してしまうことは避けられない。しかし、図３、図４及び図５から明らかなように、前記フィルタユニット２内には、第二フィルタレール５と第一フィルタレール４の少なくとも一方に常にフィルタ３が保持される形となるため、フィルタ３を通過しない空気がフィルタ３の空気流通方向下流側に流入せず、塵埃が前記機械室等の清浄空気室へ入り込んでしまうという不具合は生じない。
【００３７】
続いて、図７には、第一フィルタレール４にフィルタ３を保持せしめた状態での運転中の様子を示しており、差圧計８によりフィルタ３の空気流通方向上下流位置における差圧が検出され、該差圧計８で検出された差圧に基づいて前記フィルタ３の詰りの有無が判断される。
【００３８】
前記差圧計８で検出された差圧に基づいてフィルタ３に詰りが生じていると判断された場合、図８に示す如く、前記フィルタユニット２に取り付けられたフィルタ交換用扉６を開ける開放工程が行われる。このとき、予め新規のフィルタ３を用意しておく。
【００３９】
前記開放工程で前記フィルタ交換用扉６を開けた後、図９に示す如く、前記第二フィルタレール５に新規のフィルタ３を挿入保持せしめる新規フィルタ挿入工程が行われる。
【００４０】
前記新規フィルタ挿入工程で前記第二フィルタレール５に新規のフィルタ３を挿入保持せしめた後、図１０に示す如く、前記詰りが生じたフィルタ３を第一フィルタレール４から引き抜く交換工程が行われる。
【００４１】
前記交換工程で前記詰りが生じたフィルタ３を引き抜いた後、図１１に示す如く、前記フィルタ交換用扉６を閉じる閉鎖工程が行われる。
【００４２】
ここで、図７〜図１１に示す如く、前記送風用のファン１がフィルタ３の空気流通方向下流側に設置されている場合、図８に示す如く、前記フィルタユニット２に取り付けられたフィルタ交換用扉６を開ける開放工程が行われる際には、大部分の空気は第一フィルタレール４に挿入保持されたフィルタ３を通過するものの、前記第二フィルタレール５に対応する箇所からフィルタユニット２内へ空気が流入することは避けられない。しかし、前記フィルタ交換用扉６の開放時に第二フィルタレール５下流側に生じる隙間には遮蔽フレーム７を配設してあるため、前記フィルタ交換用扉６の開放時におけるフィルタユニット２内への空気の流入を最小限に抑えることが可能となる。
【００４３】
因みに、図９に示す如く、前記第二フィルタレール５に新規のフィルタ３を挿入保持せしめる新規フィルタ挿入工程が行われた後、図１０に示す如く、前記詰りが生じたフィルタ３を第一フィルタレール４から引き抜く交換工程が行われる際には、空気は既に第二フィルタレール５に保持されたフィルタ３を通過するため、該フィルタ３を通過しない空気がフィルタ３の空気流通方向下流側に流入することが避けられ、塵埃が前記機械室等の清浄空気室へ入り込んでしまうことはない。
【００４４】
又、図７〜図１１において、前記送風用のファン１がフィルタ３の空気流通方向下流側ではなく上流側に設置されている場合、前記フィルタ交換用扉６を開放した際、ファン１で昇圧された空気の一部がフィルタユニット２から吹き出してしまうことは避けられない。しかし、図８、図９及び図１０から明らかなように、前記フィルタユニット２内には、第一フィルタレール４と第二フィルタレール５の少なくとも一方に常にフィルタ３が保持される形となるため、フィルタ３を通過しない空気がフィルタ３の空気流通方向下流側に流入せず、塵埃が前記機械室等の清浄空気室へ入り込んでしまうという不具合は生じない。
【００４５】
一方、フィルタの巻き取り完了時はどうしてもファンを停止してフィルタの交換を行わざるを得ない前記オートロールタイプのフィルタと比較した場合、フィルタ３の交換中もファン１を停止せずに前記清浄空気室へ必要な流量の空気を継続して導入でき、しかも、モータ等の駆動装置が一切不要で、構造が簡略化できると共に、電力も消費しなくて済むことから、ランニングコストが嵩む心配もない。
【００４６】
こうして、ファン１による機械室等の清浄空気室への空気導入を継続した状態で、モータ等の駆動装置を使用することなく、フィルタ３を通過しない空気のフィルタ３下流側への流入を防いで、塵埃が清浄空気室へ入り込んでしまうことを最小限に抑制しつつ、フィルタの交換を行い得る。
【００４７】
尚、本発明の空気調和装置のフィルタ保持装置及びフィルタ交換方法は、上述の実施例にのみ限定されるものではなく、本発明の要旨を逸脱しない範囲内において種々変更を加え得ることは勿論である。
【符号の説明】
【００４８】
１    ファン
２    フィルタユニット
３    フィルタ
４    第一フィルタレール
５    第二フィルタレール
６    フィルタ交換用扉
７    遮蔽フレーム
８    差圧計
【図１】
0005972615.tif 000002
【図２】
0005972615.tif 000003
【図３】
0005972615.tif 000004
【図４】
0005972615.tif 000005
【図５】
0005972615.tif 000006
【図６】
0005972615.tif 000007
【図７】
0005972615.tif 000008
【図８】
0005972615.tif 000009
【図９】
0005972615.tif 000010
【図１０】
0005972615.tif 000011
【図１１】
0005972615.tif 000012